(57)【要約】【課題】本発明は、被覆部除去により不規則に広がった光ファイバを整列し、Ｖ溝基板への配列を容易にする。【解決手段】光テープファイバの被覆部を除去して露出した複数本の光ファイバを断面形状がコの字型の下基板に配置し、この下基板内に配置した各光ファイバの隙間を所定のピッチに保持するための保持手段を有する上基板で押さえて整列させ、光テープファイバの先端部分を各光ファイバのピッチを保持したまま固定する光テープファイバの整列方法。【選択図】      図３
2004219736.tif 000002
【特許請求の範囲】
【請求項１】
光テープファイバの被覆部を除去して露出した複数本の光ファイバを断面形状がコの字型の下基板に配置し、この下基板内に配置した各光ファイバの隙間を所定のピッチに保持するための保持手段を有する上基板で押さえて整列させることを特徴とする光テープファイバの整列方法。
【請求項２】
前記光テープファイバの整列方法に於いて、前記下基板内に配置した各光ファイバの隙間を所定のピッチに保持するための保持手段を有した上基板で押さえることにより修正し、平行に揃えたあと光テープファイバの先端部分を各光ファイバのピッチを保持したまま固定する手段を有した請求項１に記載の光テープファイバの整列方法。
【発明の詳細な説明】
【０００１】
【発明の属する技術分野】
本発明は光テープファイバの各光ファイバの間隔を所定のピッチに保持して整列する光テープファイバの整列方法に関するものである。
【０００２】
【従来の技術】
図５は従来の光ファイバアレイの製造方法を示す図で、（ａ）は正面図、（ｂ）は側面図である。Ｖ溝基板１０、Ｖ溝部１０ａ、搭載部１０ｂ、光テープファイバ１、被覆を除去した光ファイバ１ｂ、蓋部材１１、Ｖ溝部接着剤１２、搭載部接着剤１３、被覆部１ａ、段差部１４、Ｖ溝１５である。
【０００３】
従来の光ファイバアレイはＶ溝１５を有するＶ溝部１０ａと段差部１４を介してＶ溝部１０ａと一体化されている搭載部１０ｂを有するＶ溝基板１０と、Ｖ溝部１０ａに配置された光ファイバ１ｂを押しつけ固定する蓋部材１１より構成される。
【０００４】
続いて、光ファイバアレイの組立方法を説明する。光テープファイバ１の被覆部１ａを適当な長さだけ除去した光ファイバ１ｂをＶ溝部１０ａにアレイ状に注意深く配置する。その後蓋部材１１をＶ溝部１０ａに被せ、Ｖ溝部接着剤１２を隙間から流し込む。該Ｖ溝部接着剤１２は紫外線硬化型を用いる。
【０００５】
次に光ファイバ被覆部搭載部１０ｂにも搭載部接着剤１３を塗布する。該搭載部接着剤１３も紫外線硬化型を用いる。
【０００６】
各接着剤塗布後、紫外線を照射して各接着剤を硬化させ、次に光ファイバアレイの先端を研磨して完成となる。（例えば、特許文献１参照）
【０００７】
【特許文献１】
特開２００１−４２１５９号公報（第４頁、第２図）
【０００８】
【発明が解決しようとする課題】
光ファイバアレイを組み立てるには、その光テープファイバ１を構成する各光ファイバ１ｂと対応する各Ｖ溝１５とが一定の精度で対応していなければならない。しかし光テープファイバ１の被覆を除去する際に被覆部１ａ及び光ファイバ１ｂに不規則な変形を与えてしまい結果的に光ファイバ間隔が不規則になる。
【０００９】
具体的には光テープファイバ１端部の所定の位置に両側から刃先を平行に対向させた一対の平行刃（不図示）で被覆部１ａに切り込みを入れる。次に平行刃を光テープファイバ１の端末方向に引っ張ることにより被覆部１ａを引きちぎり光ファイバ１ａを露出させる。
【００１０】
この時、平行刃が磨耗していたり、切れ味に不均一がある場合光ファイバに不規則な変形を与えてしまう。図４は光テープファイバの端部被覆部を除去した状態の図である。図４からわかるように光ファイバ１ｂ間隔が不規則に広がるなどして平行状態からずれてしまう傾向がある。
【００１１】
このように光ファイバ１ｂ間隔が不揃いになるとＶ溝１５上に光ファイバを配列する作業が困難となる。更に光部品の小型高密度化が要求される中でＶ溝基板１０のＶ溝１５のピッチ間隔も狭小化傾向になり配列作業の困難さはさらに増大する。
【００１２】
本発明は、被覆部除去により不規則に広がった光ファイバを整列し、Ｖ溝基板への配列を容易にしようとするものである。
【００１３】
【課題を解決するための手段】
本発明は、前述した問題点を鑑みて光テープファイバの被覆部を除去して露出した複数本の光ファイバを断面形状がコの字型の下基板に配置し、この下基板内に配置した各光ファイバの隙間を所定のピッチに保持するための保持手段を有する上基板で押さえて整列させる光テープファイバの整列方法とする。
【００１４】
前記光テープファイバの整列方法に於いて、前記下基板内に配置した各光ファイバの隙間を所定のピッチに保持するための保持手段を有した上基板で押さえることにより修正し、平行に揃えたあと光テープファイバの先端部分を各光ファイバのピッチを保持したまま固定する手段を有した光テープファイバの整列方法とする。
【００１５】
【発明の実施の形態】
以下図面を用いて本発明の実施の形態を説明する。図１は本発明の光テープファイバの整列方法を示す分解斜視図、図２は本発明の光テープファイバの整列方法を示す正面図、図３は本発明の光テープファイバの整列方法を示す斜視図である。
【００１６】
本発明の光テープファイバの整列方法について図１を参照して説明する。断面形状がコの字の形状をした下基板２の凹部２ａ内に被覆部１ａを除去した光ファイバ１ｂを配置する。下基板２の凹部２ａの寸法幅Ａは各光ファイバを左右方向に所望ピッチＰに保持することができる寸法に構成されている。
【００１７】
次に光ファイバ１ｂの上に上基板３を配置する。前記上基板３には光テープファイバ１の被覆部１ａを除去した光ファイバ１ｂとの接する側に、各光ファイバの隙間を所定のピッチに保持するための保持手段として円柱形状をしたピン３ａの半円柱部が露出された形で埋め込まれている。また、ピン３ａの配置間隔は各光ファイバ１ｂの所望ピッチＰと同じにする。前記上基板３を下基板２の凹部２ａに押し下げることにより、光ファイバ１ｂを所望のピッチに整列することができる。
【００１８】
また、ピン３ａの数は光テープファイバ１の各被覆部を除去した光ファイバ１ｂの隙間分、すなわち（光ファイバ本数−１）本のピン数が埋め込まれている。
【００１９】
上記のようにピン３ａを上基板３に埋め込む形だけではなく、ピン３ａと上基板３を同じ材質にして製作する事もできる。この場合、金型等を使い一体で製造するのが効率よい方法である。
【００２０】
また、前記ピン３ａは半円柱形状が露出しているが、それ以外に露出形状を三角柱形状にしても各光ファイバの所望ピッチＰを保持することができる。
【００２１】
被覆部１ａを除去した光ファイバ１ｂが上基板３で保持されたら、被覆部１ａを除去した光ファイバ１ｂを所望のピッチＰを維持するため光ファイバ１ｂの先端を固定する。固定する方法は、例えば紫外線硬化接着剤４を塗布し、その後紫外線を照射して光ファイバ１ｂの先端を固めるやり方がある。これにより光テープファイバ１は所望のピッチＰを維持したまま固定する事ができる。
【００２２】
すなわち、光テープファイバ１の左右方向のピッチを所望ピッチにすることができ、Ｖ溝基板への搭載が容易なものとなる。
【００２３】
【発明の効果】
以上のように本発明において、精度よく光ファイバを整列させた光テープファイバを得ることができ、Ｖ溝基板のＶ溝部への配置が容易となり作業の効率化が図られる。
【図面の簡単な説明】
【図１】本発明の光ファイバ整列方法を示す分解斜視図
【図２】本発明の光ファイバ整列方法を示す正面図
【図３】本発明の光ファイバ整列方法を示す斜視図
【図４】光テープファイバの端部被覆部を除去した状態の図
【図５】従来の光ファイバアレイ製造方法を示す図で（ａ）は正面図、（ｂ）は側面図
【符号の説明】
１    光テープファイバ
１ａ  被覆部
１ｂ  被覆部を除去した光ファイバ
２    下基板
２ａ  凹部
３    上基板
３ａ  ピン
４    紫外線硬化型接着剤
１０    Ｖ溝基板
１０ａ  Ｖ溝部
１０ｂ  搭載部
１１    蓋部材
１２    Ｖ溝部接着剤
１３    搭載部接着剤
１４    段差部
１５    Ｖ溝
【図１】
2004219736.tif 000003
【図２】
2004219736.tif 000004
【図３】
2004219736.tif 000005
【図４】
2004219736.tif 000006
【図５】
2004219736.tif 000007